(57)【要約】【課題】傘の生地が釣り竿の邪魔にならない部分開閉可能な傘を提供する。【解決手段】柄２の端部に放射状に複数本の親骨３が設けられ、各親骨３の間に生地４が張り付けられて成る。生地４は隣合う２本の親骨３ａの間に各親骨３ａに沿って周縁部１ａから中心１ｂの方向に中間部まで伸びる２本の切込み７を有する。各切込み７を開閉可能な結合部材８を有する。結合部材８はファスナーから成る。隣合う２本の親骨３ａの中間部を、それらを開いたときの間隔の長さで連結する紐９を有する。【選択図】図１
0003114624.tif 000002
【実用新案登録請求の範囲】
【請求項１】
柄の端部に放射状に複数本の親骨が設けられ、各親骨の間に生地が張り付けられて成る開閉可能な傘であって、前記生地は隣合う２本の親骨の間に周縁部から中心方向に中間部まで伸びる切込みを有し、前記切込みを開閉可能な結合部材を有することを、特徴とする部分開閉可能な傘。
【請求項２】
柄の端部に放射状に複数本の親骨が設けられ、各親骨の間に生地が張り付けられて成る開閉可能な傘であって、前記生地は隣合う２本の親骨の間に各親骨に沿って周縁部から中心方向に中間部まで伸びる２本の切込みを有し、各切込みを開閉可能な結合部材を有することを、特徴とする部分開閉可能な傘。
【請求項３】
前記結合部材はファスナーから成り、前記隣合う２本の親骨の中間部を、それらを開いたときの間隔の長さで連結する紐を有することを、特徴とする請求項１または２記載の部分開閉可能な傘。
【考案の詳細な説明】
【技術分野】
【０００１】
本考案は、魚釣りなどに便利な部分開閉可能な傘に関する。
【背景技術】
【０００２】
魚釣りの際、雨降りのときには、レインコートを着るか、傘を差して釣りを行っている。しかしながら、レインコートの場合、着用に手間がかかるうえ、動きにくいという問題があった。また、傘の場合には、傘の生地が釣り竿の邪魔になるという問題があった。
【０００３】
ところで、従来の傘として、柄を支持部材で支持するようにして、柄が邪魔にならないようにしたものがある（例えば、特許文献１参照）。
【０００４】
【特許文献１】特開２０００−１９７５１２号公報
【考案の開示】
【考案が解決しようとする課題】
【０００５】
しかしながら、特許文献１記載の傘でも、傘の生地が釣り竿の邪魔になるのを解決することはできない。
【０００６】
本考案は、このような従来の課題に着目してなされたもので、傘の生地が釣り竿の邪魔にならない部分開閉可能な傘を提供することを目的とする。
【課題を解決するための手段】
【０００７】
上記目的を達成するために、本考案に係る部分開閉可能な傘は、柄の端部に放射状に複数本の親骨が設けられ、各親骨の間に生地が張り付けられて成る開閉可能な傘であって、前記生地は隣合う２本の親骨の間に周縁部から中心方向に中間部まで伸びる切込みを有し、前記切込みを開閉可能な結合部材を有することを、特徴とする。
本考案に係る部分開閉可能な傘は、切込みを結合部材で開閉可能なため、切込みを開いてその間から釣り竿を伸ばすことができる。これにより、傘を差したままで、傘の生地が釣り竿の邪魔になることなく、釣りを行うことができる。
【０００８】
本考案に係る部分開閉可能な傘は、柄の端部に放射状に複数本の親骨が設けられ、各親骨の間に生地が張り付けられて成る開閉可能な傘であって、前記生地は隣合う２本の親骨の間に各親骨に沿って周縁部から中心方向に中間部まで伸びる２本の切込みを有し、各切込みを開閉可能な結合部材を有することが好ましい。
この場合、２本の切込みを結合部材で開閉可能なため、各切込みを開いてその間の生地をめくることにより、生地をめくってできた間隙から釣り竿を伸ばすことができる。これにより、傘を差したままで、傘の生地が釣り竿の邪魔になることなく、釣りを行うことができる。
【０００９】
本考案に係る部分開閉可能な傘で、前記結合部材はファスナーから成り、前記隣合う２本の親骨の中間部を、それらを開いたときの間隔の長さで連結する紐を有することが好ましい。この場合、結合部材がファスナーから成るため、切込みを閉じて傘を使用するとき、切込みから雨が漏れるのを確実に防止することができ、また、切込みの開閉が容易である。さらに、隣合う２本の親骨の中間部を紐で連結してあるため、傘を開いたとき、切込みを閉じた状態で、不用意に切込みが開かないよう紐で保持することができる。また、切込みを開いた状態で、切込みの谷部に力が掛かって谷部が裂けないよう紐で保持することができる。特に、２本の切込みを有する場合には、各切込みを開いたとき、その間の生地をめくって紐に掛けることができる。このため、めくった生地が邪魔にならず、使い勝手が良い。なお、本明細書において、紐は、チェーンやベルトなどを含む概念である。
【考案の効果】
【００１０】
本考案によれば、傘の生地が釣り竿の邪魔にならない部分開閉可能な傘を提供することができる。
【考案を実施するための最良の形態】
【００１１】
以下、図面に基づき本考案の実施の形態について説明する。
図１および図２は、本考案の実施の形態の部分開閉可能な傘を示している。
部分開閉可能な傘１は、柄２の端部に放射状に複数本の親骨３が設けられ、各親骨３の間に生地４が張り付けられて成っている。部分開閉可能な傘１は、柄２に沿って下ろくろを移動させ、閉じたとき下ろくろを下ハジキ５に掛け、開いたとき上ハジキに掛けて、下ろくろと親骨３の中間部のダボとに取り付けられた受骨６で親骨３を支持するようになっている。
【００１２】
生地４は、隣合う２本の親骨３ａの間に各親骨３ａに沿って周縁部１ａから中心１ｂの方向に中間部まで伸びる２本の切込み７を有している。部分開閉可能な傘１は、各切込み７を開閉可能な結合部材８を有している。結合部材８はファスナーから成っている。ファスナーから成る結合部材８は、切込み７から雨が漏れないように切込み７を閉じることができる。また、部分開閉可能な傘１は、隣合う２本の親骨３ａの中間部を、それらを開いたときの間隔の長さで連結する紐９を有している。
【００１３】
次に、作用について説明する。
部分開閉可能な傘１は、開閉して通常の傘のように使用することができる。傘を差した状態で釣りを行う場合には、部分開閉可能な傘１は２本の切込み７を結合部材８で開閉可能なため、各切込み７を開いてその間の生地４をめくることにより、生地４をめくってできた間隙から釣り竿Ａを伸ばすことができる。これにより、傘を差したままで、傘１の生地４が釣り竿Ａの邪魔になることなく、快適に釣りを行うことができる。各切込み７を開いたときには、その間の生地４をめくって紐９に掛けることができる。このため、めくった生地４が邪魔にならず、使い勝手が良い。なお、切込み７を開く程度は、結合部材８により、自由に調節することができる。
【００１４】
部分開閉可能な傘１は隣合う２本の親骨３ａの中間部を紐９で連結してあるため、傘１を開いたとき、切込み７を閉じた状態で、不用意に切込み７が開かないよう紐９で保持することができる。また、切込み７を開いた状態では、切込み７の谷部に力が掛かって谷部７ａが裂けないよう紐９で保持することができる。切込み７を閉じて傘１を使用するときには、結合部材８がファスナーから成るため、切込み７から雨が漏れるのを確実に防止することができ、また、切込み７の開閉は、ファスナーにより容易である。
なお、切込み７は、２本設ける代わりに、１本だけ設けてもよい。この場合にも、切込み７を開いてその間から釣り竿Ａを伸ばすことができる。
【図面の簡単な説明】
【００１５】
【図１】本考案の実施の形態の部分開閉可能な傘の切込みを開いた状態を示す斜視図である。
【図２】図１に示す部分開閉可能な傘の、柄を省略して示す底面図である。
【符号の説明】
【００１６】
１    部分開閉可能な傘
１ａ  周縁部
１ｂ  中心
２    柄
３    親骨
３ａ  隣合う２本の親骨
４    生地
５    下ハジキ
６    受骨
７    切込み
８    結合部材
９    紐
【図１】
0003114624.tif 000003
【図２】
0003114624.tif 000004